(57)【要約】【課題】配線ダクト取付用の横杆及び配線ダクトの形状を簡素化し、コスト低減を図るとともに、配線ダクトを、横杆に容易に、かつ安定よく取付けうるようにする。【解決手段】横杆５に支持された配線ダクト７に、めねじ孔１１を設けた垂直片１０aの上端に、横杆５の下面に当接可能な後向きの当接片１０b が連設された押し当て部材１０を、その垂直片１０aを配線ダクト７の挿通孔９に上下に移動可能に嵌合して取付け、当接片１０b を横杆５の下面に当接させ、配線ダクト７の垂下片７cの長孔８に挿入した止めねじ１２を、垂直片１０aのめねじ孔１１に螺合して締め付けることにより、配線ダクト７を横杆５に固定する。【選択図】  図５
2008161342.tif 000002
【特許請求の範囲】
【請求項１】
机等の天板の後部下方に配設された左右方向を向く横杆に、配線ダクトを取付ける取付構造において、前記配線ダクトを、前記横杆の上部に上方より係合される係合部と、横杆の前面に当接するようにして、前記係合部の前端より下向きに垂下し、かつ左右方向の適所に上下方向を向く長孔が穿設された垂下片と、この垂下片の下端に連設され、かつ前記長孔の穿設部と対応する前端部に、挿通孔が貫設された後向片とを備えるものとし、この配線ダクトに、めねじ孔を設けた垂直片の上端に、前記横杆の下面に当接可能な後向きの当接片が連設された押し当て部材を、その垂直片を前記挿通孔に上下に移動可能に嵌合させて取付け、前記押し当て部材の当接片を前記横杆の下面に当接させ、かつ前記垂下片の長孔に挿入した止めねじを、前記垂直片のめねじ孔に螺合して締め付けることにより、配線ダクトを横杆に固定したことを特徴とする配線ダクトの取付構造。
【請求項２】
押し当て部材における当接片の後端に、横杆の下部後面に係合する上向係合片を連設してなる請求項１記載の配線ダクトの取付構造。
【請求項３】
押し当て部材の垂直片の上下寸法を、配線ダクト取付状態における横杆の下面から、配線ダクトの垂下片の下面までの寸法とほぼ等しくしてなる請求項１または２記載の配線ダクトの取付構造。
【請求項４】
挿通孔を、左右方向に長いスリット状とするとともに、この挿通孔に、金属板を折曲して形成した押し当て部材を嵌合してなる請求項１〜３のいずれかに記載の配線ダクトの取付構造。
【発明の詳細な説明】
【技術分野】
【０００１】
本発明は、机等の後部の天板下に設けられる配線ダクトの取付構造に関する。
【背景技術】
【０００２】
この種の配線ダクトの取付構造としては、例えば特許文献１〜３に記載されているものがある。
【特許文献１】特開平８−９８７１９号公報
【特許文献２】特開２００３−１２５８５０号公報
【特許文献３】特開２００６−１３６５６８号公報
【発明の開示】
【発明が解決しようとする課題】
【０００３】
上記特許文献１〜３に記載されている従来の配線ダクトの取付構造においては、いずれも、配線ダクトを取付ける幕板や横杆に、配線ダクトを取付けるための加工を施したり、別部材を付加したり、あるいは、特殊な形状に形成したりしているので、幕板や横杆の製造コストが増大するという問題を有している。
また、特許文献２及び３に記載のものは、配線ダクトの形状も複雑となっているので、それを成形する金型の製作コストが嵩むという問題がある。
【０００４】
本発明は、上記問題点に鑑みてなされたもので、配線ダクト取付用の横杆に、加工を施したり、別部材を付加したり、複雑な形状としたりする必要がなく、かつ配線ダクト自体も簡単な形状として、コスト低減を図るとともに、配線ダクトを、横杆等に容易に、かつ安定よく取付けうるようにした配線ダクトの取付構造を提供することを目的としている。
【課題を解決するための手段】
【０００５】
本発明によると、上記課題は、次のようにして解決される。
（１）机等の天板の後部下方に配設された左右方向を向く横杆に、配線ダクトを取付ける取付構造において、前記配線ダクトを、前記横杆の上部に上方より係合される係合部と、横杆の前面に当接するようにして、前記係合部の前端より下向きに垂下し、かつ左右方向の適所に上下方向を向く長孔が穿設された垂下片と、この垂下片の下端に連設され、かつ前記長孔の穿設部と対応する前端部に、挿通孔が貫設された後向片とを備えるものとし、この配線ダクトに、めねじ孔を設けた垂直片の上端に、前記横杆の下面に当接可能な後向きの当接片が連設された押し当て部材を、その垂直片を前記挿通孔に上下に移動可能に嵌合させて取付け、前記押し当て部材の当接片を前記横杆の下面に当接させ、かつ前記垂下片の長孔に挿入した止めねじを、前記垂直片のめねじ孔に螺合して締め付けることにより、配線ダクトを横杆に固定する。
【０００６】
（２）上記(１)項において、押し当て部材における当接片の後端に、横杆の下部後面に係合する上向係合片を連設する。
【０００７】
（３）上記(１)または(２)項において、押し当て部材の垂直片の上下寸法を、配線ダクト取付状態における横杆の下面から、配線ダクトの垂下片の下面までの寸法とほぼ等しくする。
【０００８】
（４）上記(１)〜(３)項のいずれかにおいて、挿通孔を、左右方向に長いスリット状とするとともに、この挿通孔に、金属板を折曲して形成した押し当て部材を嵌合する。
【発明の効果】
【０００９】
請求項１記載の発明によれば、横杆に上方より係合して支持された配線ダクトを、それに設けた押し当て部材により、横杆を把持するようにして取付けているので、横杆には、配線ダクトを取付けるための加工を施したり、別部材を付加したりする必要がなく、コスト低減を図ることができる。
また、配線ダクトの形状も簡素化しうるので、その製造コストも低減される。
【００１０】
さらに、押し当て部材を、配線ダクトに上下動可能に仮止めした状態で、横杆に配線ダクトを係止し、かつ配線ダクトの下方に突出する押し当て部材の垂直片の下端を、手で押し上げた状態で、止めねじを締め付けることにより、横杆に配線ダクトを容易に取付けることができる。
しかも、配線ダクトの取付作業を、机等の前方から行いうるので、例えば机が壁面等に近接して設置され、後方より手が届かない場合でも、配線ダクトを、横杆に、容易に取付けることができる。
【００１１】
押し当て部材を押し上げて固定すると、配線ダクトにおける横杆の下方に突出する部分に、垂直片が重合し、その部分が二重構造となるので、配線ダクトが補強される。
押し当て部材は、上下に移動可能に仮止めされているので、横杆の上下寸法が大きい場合でも対応することができる。
【００１２】
押し当て部材は、配線ダクトの挿通孔に挿通された状態で上下動するので、配線ダクトの長孔を介して押し当て部材のめねじ孔に止めねじを螺合する際、押し当て部材が止めねじ回りに回転するのが防止され、固定作業が容易となるとともに、押し当て部材が上下方向を向いて円滑に上下動する。
【００１３】
請求項２記載の発明によれば、押し当て部材の上向係合片が、横杆の後面下部に係合するので、配線ダクトを、横杆に、強固にかつ安定よく取付けることができる。
【００１４】
請求項３記載の発明によれば、押し当て部材を押し上げて固定した際、垂直片の下端と、配線ダクトの後向片の下面とがほぼ整合し、垂直片が下方に突出しないので、体裁がよくなる。
【００１５】
請求項４記載の発明によれば、押し当て部材が金属製で強度が増すとともに、左右寸法が大きくなって、横杆への接触面積が大となるので、配線ダクトを、横杆に、より強固に取付けることができる。
【発明を実施するための最良の形態】
【００１６】
以下、本発明の実施形態を、図面に基づいて説明する。
図１は、本発明を適用した机の斜視図、図２は、図１のII-II線拡大縦断側面図である。
【００１７】
机１は、前後(以下、図２の右方を前として説明する)に対向する脚柱２、２の上端部の対向面同士を、前後方向を向く連結杆３により連結してなる側面視門型の左右１対の脚体４、４と、両脚体４における後部側の脚柱２、２の上端部の対向面同士を連結している角管状の横杆５と、両脚体４により支持された天板６とを備えている。
【００１８】
横杆５には、左右方向を向く配線ダクト７が、次のようにして取付けられている。
図３〜図５に示すように、配線ダクト７は、横杆５の上面により支持されるとともに、後端に、横杆５の後面上部と係合する下向係合片７aが連設された上片７bと、その前端より垂下し、横杆５の前面に当接する、横杆５の上下寸法よりも長寸の垂下片７cと、垂下片７cの下端に連設され、後端に短寸の上向片７dが連設された、図示しない配線を載置するための後向片７eとを有している。
【００１９】
垂下片７cの左右複数箇所には、その下端部から横杆５の下端付近に至る長さの長孔８が穿設され、また、各長孔８の穿設部における後向片７eの前端には、左右方向を向くスリット状の挿通孔９が、垂下片７cの後面と連続するように穿設されている。
【００２０】
１０は、配線ダクト７を横杆５に取付けるための金属板製の押し当て部材で、上記挿通孔９に上下に摺動可能に嵌合される垂直片１０aと、その上端に後向きに延設され、横杆５の下面に当接しうる当接片１０b と、その後端に連設され、横杆５の後面下部に係合可能な上向係合片１０cとからなり、垂直片１０aの上端部における配線ダクト７の長孔８と対向する位置には、前後方向を向くめねじ孔１１が穿設されている。
【００２１】
垂直片１０aの上下寸法は、当接片１０b を横杆５の下面に当接させたとき、垂直片１０aの下端が、配線ダクト７における後向片７eの下面と同一面に整合するか、もしくは、挿通孔９を通して、後向片７eの下方に僅かに突出するように、配線ダクト７の垂下片７cにおける横杆５の下面から下方に突出する寸法とほぼ同等とされている。
【００２２】
横杆５に配線ダクト７を取付けるには、まず図４に示すように、配線ダクト７の挿通孔９に、押し当て部材１０の垂直片１０aを、上方より嵌合し、配線ダクト７の垂下片７cに設けた長孔８に前方より挿入した止めねじ１２を、押し当て部材１０の垂直片１０aに設けためねじ孔１１に緩く螺合することにより、配線ダクト７に押し当て部材１０を、上下動可能なように仮止めする。
この際、押し当て部材１０は、止めねじ１２が長孔８の下端と当接する位置まで、自重により下方に移動し、垂直片１０aの下端部が配線ダクト７の下方に突出するようになる。
【００２３】
ついで、配線ダクト７の垂下片７cを横杆５の前面に押し当てるようにして、上片７bを横杆５の上面に当接させるとともに、下向係合片７aを横杆５の上端部前面に係合させ、配線ダクト７全体を横杆５により吊支状態に支持する。
【００２４】
ついで、押し当て部材１０における垂直片１０aの下端を、前方より手で押し上げ、図５に示すように、当接片１０b を横杆５の下面に当接させるとともに、上向係合片１０cを横杆５の後面下部に係合させる。
【００２５】
この状態で、前方より止めねじ１２を締め付けることにより、配線ダクト７は、その上端部と、左右複数の押し当て部材１０の上端部とにより、横杆５を把時するようにして、安定よく取付けられる。配線ダクト７の取付後において、押し当て部材１０の垂直片１０aの下端は、後向片７eの下面とほぼ整合するので、体裁が損なわれることはない。
【００２６】
配線ダクト７取付後の横杆５には、幕板１３が取付けられている。
図１及び図２に示すように、幕板１３は、パンチングプレートよりなる垂直基板１３aの左右両側縁と下縁に、それぞれ、斜め後外側方を向く傾斜側片１３bと後下方を向く底片１３cを連設したものよりなり、かつ垂直基板１３aの上縁には、後端に下向片１４aを有する後向係止片１４が連設されている。
【００２７】
幕板１３は、後向係止片１４を横杆５の上面に被せて係止したのち、左右の傾斜側片１３bの後端部を、後部側の左右の脚柱２の内側面の係合溝(図示略)に係合することにより、前方より取外し可能に取付けられている。
【００２８】
以上説明したように、上記実施形態の配線ダクトの取付構造においては、横杆５に上方より嵌合して係止した配線ダクト７を、それに設けた押し当て部材１０により、横杆５を把時するようにして取付けているので、横杆５には、配線ダクト７を取り付けるための加工を施したり、別部材を付加したり、複雑な形状としたりする必要が一切なく、コスト低減が図れる。
【００２９】
また、配線ダクト７の形状も簡素化でき、かつ押し当て部材１０取付用の長孔８や挿通孔９を設けるのみでよいので、その製造コストも低減される。
【００３０】
押し当て部材１０を、配線ダクト７に上下動可能に仮止めした状態で、横杆５に配線ダクト７を係止し、かつ配線ダクト７の下方に突出する垂直片１０aの下端を手で押し上げた状態で、止めねじ１２を締め付けることにより、横杆５に配線ダクト７を容易に取付けることができる。
【００３１】
また、この取付作業は、机１の前方から行いうるので、例えば図２に示すように、机１が壁面ｗと近接させて設置され、後方より手が届かないような場合でも、配線ダクト７を、横杆５に、着脱可能として容易に取付けることができる。
【００３２】
さらに、押し当て部材１０を押し上げて固定すると、配線ダクト７における横杆５の下方に突出する部分に、垂直片１０aが重合し、その部分が二重構造となるので、配線ダクト７が補強される。
押し当て部材１０は、上下に移動可能に仮止めされているので、横杆５の上下寸法が大きい場合でも対応することができる。
【００３３】
なお、上記実施形態では、押し当て部材１０は、横杆５の後面下部に係合する上向係合片１０cを有するものとしたが、この上向係合片１０cを省略して実施することもある。
【００３４】
また、横杆５を角管よりなるものとしたが、例えば楕円形や多角形断面等のものを用いることもできる。
【図面の簡単な説明】
【００３５】
【図１】本発明を適用した机の斜視図である。
【図２】図１のII-II線拡大縦断側面図である。
【図３】横杆への配線ダクト取付部の後方斜視図である。
【図４】同じく、横杆に配線ダクトを固定する前の縦断側面図である。
【図５】同じく、横杆に配線ダクトを固定した後の縦断側面図である。
【符号の説明】
【００３６】
１    机
２    脚柱
３    連結杆
４    脚体
５    横杆
６    天板
７    配線ダクト
７a   下向係合片
７b   上片
７c   垂下片
７d   上向片
７e   後向片
８    長孔
９    挿通孔
１０  押し当て部材
１０a 垂直片
１０b 当接片
１０c 上向係合片
１１  めねじ孔
１２  止めねじ
１３  幕板
１３a 垂直基板
１３b 傾斜側片
１３c 底片
１４  後向係止片
１４a 下向片
Ｗ    壁面
【図１】
2008161342.tif 000003
【図２】
2008161342.tif 000004
【図３】
2008161342.tif 000005
【図４】
2008161342.tif 000006
【図５】
2008161342.tif 000007